(57)【要約】【課題】表紙を選ばず、多くの種類の表紙に取り付けることができ、取り付けるときに手間取らない、綴じ具及びそれを備えたファイル・バインダを提供する。【解決手段】この発明にかかる綴じ具は、表紙に固定される綴じ具において、綴じ足２２ａ，２２ｂが突設された挟持部３２と、該挟持部に連設された、表紙に固定するための固定部３４と、前記固定部に前記挟持部を全方向回転自在に連結するヒンジ部３６と、前記挟持部と協働して綴じ足基端部２６ａ，２６ｂ部分を固定して、綴じ足を突き出るように固定する綴じ足固定部３８とを備え、前記挟持部３２は、その表面より突き出た綴じ足に固定された押え部材７０と対向して、被綴じ物を綴じることができるように形成されている。【選択図】図２
2008168462.tif 000002
【特許請求の範囲】
【請求項１】
表紙に固定される綴じ具において、
綴じ足が突設された挟持部と、
該挟持部に連設された、表紙に固定するための固定部と、
前記固定部に対し相対的に前記挟持部を揺動自在に連結するヒンジ部と、
前記挟持部と協働して綴じ足基端部部分を固定して、綴じ足を突き出るように固定する綴じ足固定部とを備え、
前記挟持部は、その表面より突き出た綴じ足に固定された押え部材と対向して、被綴じ物を綴じることができるように形成された、綴じ具。
【請求項２】
前記挟持部は、綴じ足が突き出る方向とは反対側より綴じ足を挿通するための貫通孔が形成された、請求項１に記載の綴じ具。
【請求項３】
前記綴じ足固定部は、
挟持部の綴じ足が突き出る面とは反対側の挟持部の面に固定され、
挟持部との間に綴じ足の基端部を挟持するように形成された、請求項１または２に記載の綴じ具。
【請求項４】
前記綴じ足固定部は、
全体が変形可能な綴じ足の基端部の中央に形成された孔に嵌合する突起を備え、
前記貫通孔周辺に綴じ足の基端部を収容する凹部が形成された、請求項１ないし３のいずれかに記載の綴じ具。
【請求項５】
前記挟持部は、前記綴じ足固定部と折り曲げ自在な薄肉部により連結された、請求項１ないし４のいずれかに記載の綴じ具。
【請求項６】
綴じ足が突設された挟持部と、
該挟持部に連設された固定部と、
前記固定部に前記挟持部を折り曲げ可能に連結する折曲部と、
前記挟持部と協働して綴じ足の基端部を固定する綴じ足固定部と、
前記挟持部と綴じ足固定部とを折り曲げ自在に連結する薄肉部とは、
合成樹脂で一体成形された、請求項１ないし５のいずれかに記載の綴じ具。
【請求項７】
請求項１ないし６に記載の綴じ具が、表紙の背表紙に固定部によって固定され、少なくともヒンジ部が背表紙と表表紙との境界又は背表紙と裏表紙との境界に略々沿って固定された、ファイル・バインダ。
【発明の詳細な説明】
【技術分野】
【０００１】
この発明は、綴じ具及びそれを備えたファイル・バインダに関し、特に、例えば、金属製のスプリングからなる綴じ足を有し、紙などに形成された綴じ穴に綴じ足を通して紙などを綴じる綴じ具及びそれを備えたファイル・バインダに関する。
【背景技術】
【０００２】
この発明の背景となる従来のファイル用綴じ具には、金属製のスプリングからなる綴じ足と、綴じ足を通すための挿通孔および綴じ足を保持するための保持片を形成された押え部材とを有し、綴じ足を紙などに形成された綴じ穴とともに押え部材に形成された挿通孔に通し、綴じ足の先端側部分を押え部材上に曲げて保持片で保持することよって、紙などを綴じるものがあった（たとえば特許文献１参照）。
このようなファイル用綴じ具では、綴じ足を保持片から外せば、綴じ足が直立した状態になるので、綴じ足を紙などに形成された閉じ穴に通しやすく、そのため、紙などを綴じやすい。
【０００３】
【特許文献１】実開平７−１８８８２号公報（図１３）
【発明の開示】
【発明が解決しようとする課題】
【０００４】
ところが、上述のような従来の綴じ具では、金属製のスプリングのゆえに、たとえば合成樹脂製ファイル表紙などには容易に取り付けることができず、ファイルの材質等を選択するに際しても制限があり、また、たとえ表紙に取り付けられるとしても、その取り付けに際し、手間取り、製造時間を要してコストがアップする要因となる。
【０００５】
それゆえに、この発明の主たる目的は、表紙を選ばず、多くの種類の表紙に取り付けることができ、取り付けるときに手間取らない、綴じ具及びそれを備えたファイル・バインダを提供することである。
【課題を解決するための手段】
【０００６】
この発明の綴じ具は、表紙に固定される綴じ具において、綴じ足が突設された挟持部と、該挟持部に連設された、表紙に固定するための固定部と、前記固定部に対し相対的に前記挟持部を揺動自在に連結するヒンジ部と、前記挟持部と協働して綴じ足基端部部分を固定して、綴じ足を突き出るように固定する綴じ足固定部とを備え、前記挟持部は、その表面より突き出た綴じ足に固定された押え部材と対向して、被綴じ物を綴じることができるように形成されている。
前記挟持部は、綴じ足が突き出る方向とは反対側より綴じ足を挿通するための貫通孔が形成されてもよい。
前記綴じ足固定部は、挟持部の綴じ足が突き出る面とは反対側の挟持部の面に固定され、挟持部との間に綴じ足の基端部を挟持するように形成されてもよい。
前記綴じ足固定部は、全体が変形可能な綴じ足の基端部の中央に形成された孔に嵌合する突起を備え、前記貫通孔周辺に綴じ足の基端部を収容する凹部が形成されてもよい。
前記挟持部は、前記綴じ足固定部と折り曲げ自在な薄肉部により連結されてもよい。
綴じ足が突設された挟持部と、該挟持部に連設された固定部と、前記固定部に前記挟持部を折り曲げ可能に連結する折曲部と、前記挟持部と協働して綴じ足の基端部を固定する綴じ足固定部と、前記挟持部と綴じ足固定部とを折り曲げ自在に連結する薄肉部とは、合成樹脂で一体成形されてもよい。
前記綴じ具が、表紙の背表紙に固定部によって固定され、少なくともヒンジ部が背表紙と表表紙との境界又は背表紙と裏表紙との境界に略々沿って固定された、ファイル・バインダとしてもよい。
【発明の効果】
【０００７】
この発明によれば、表紙に固定される綴じ具において、綴じ足が突設された挟持部と、該挟持部に連設された、表紙に固定するための固定部と、前記固定部に対し相対的に前記挟持部を揺動自在に連結するヒンジ部と、前記挟持部と協働して綴じ足基端部部分を固定して、綴じ足を突き出るように固定する綴じ足固定部とを備え、前記挟持部は、その表面より突き出た綴じ足に固定された押え部材と対向して、被綴じ物を綴じることができるように形成されたので、挟持部と綴じ足固定部と協働して綴じ足の基端部部分を固定し、挟持部に連設された固定部を表紙に取り付けることが容易にでき、たとえば鋲による固定や溶着といった方法により、表紙に取り付けることができ、取り付けに際して手間取ることがない。
したがって、表紙の材質を選ばず、種々の方法により固定部を表紙に取り付けることができる。
しかも、固定部に対し相対的に挟持部を揺動自在に連結するヒンジ部により、綴じ足を固定された挟持部側は、折り曲げ自在となり、綴じられた用箋等の被綴じ物の開閉等に際しても自由に円滑に開閉することができる。
【０００８】
前記挟持部は、綴じ足が突き出る方向とは反対側より綴じ足を挿通するための貫通孔が形成されると、綴じ足を挟持部に固定し易くなる。
【０００９】
綴じ足固定部は、挟持部の綴じ足が突き出る面とは反対側の挟持部の面に固定され、挟持部との間に綴じ足の基端部を挟持するように形成されると、綴じ足を挟持部に固定し易くなる。
【００１０】
綴じ足固定部は、全体が変形可能な綴じ足の基端部の中央に形成された孔に嵌合する突起を備え、前記貫通孔周辺に綴じ足の基端部を収容する凹部が形成されると、綴じ足を確実に固定部に固定する。
【００１１】
前記挟持部は、前記綴じ足固定部と折り曲げ自在な薄肉部により連結されると、該薄肉部により折り曲げて綴じ足固定部を挟持部に容易に固定できる。
【００１２】
綴じ足が突設された挟持部と、該挟持部に連設された固定部と、前記固定部に前記挟持部を折り曲げ可能に連結する折曲部と、前記挟持部と協働して綴じ足の基端部を固定する綴じ足固定部と、前記挟持部と綴じ足固定部とを折り曲げ自在に連結する薄肉部とは、合成樹脂で一体成形すると、それらの成形を一工程で容易に行うことができる。
【００１３】
綴じ具が、表紙の背表紙に固定部によって固定され、少なくともヒンジ部が背表紙と表表紙との境界又は背表紙と裏表紙との境界に略々沿って固定された、ファイル・バインダは、ヒンジ部において、表紙の境界に沿って被綴じ物が挟持部に綴じられた状態にて容易に揺動させることができ、被綴じ物の閲覧状態を変えて閲覧を容易にすることができる。
【００１４】
この発明の上述の目的、その他の目的、特徴および利点は、図面を参照して行う以下の発明を実施するための最良の形態の説明から一層明らかとなろう。
【発明を実施するための最良の形態】
【００１５】
図１は、この発明の一実施の形態であるファイルを示す斜視図解図である。
図２は、図１に示すファイルの綴じ具の押え部材を外した状態を示す斜視図解図である。
図３は、図１に示すファイルの綴じ具の綴じ具本体から綴じ足を外した状態を示す平面視斜視図解図である。
図４は、図１に示すファイルの綴じ具の綴じ具本体から綴じ足を外した状態を示す底面視斜視図解図である。
図５は、図４のＡ−Ａ断面図解図である。
図６は、図４のＢ−Ｂ断面図解図である。
図７は、綴じ具を組み立てる方法を示す斜視図解図である。
図８は、綴じ具を組み立てる方法を示す断面図解図である。
図９は、被綴じ物を綴じ具に綴じた状態の断面図解図である。
図１０は、図１に示すファイルに用いられる押え部材を示す斜視図である。
図１１は、図１０に示す押え部材の平面図である。
図１２は、図１１の線ＶＩＩ−ＶＩＩにおける断面図である。
【００１６】
図１に示すファイル１０は、たとえば厚紙などの紙やたとえばポリプロピレンなどの合成樹脂からなる表紙１２を含む。表紙１２は、長方形状の表表紙１２ａおよび裏表紙１２ｂを含み、表表紙１２ａと裏表紙１２ｂとの間には、短冊状の背表紙１２ｃが形成される。
【００１７】
表紙１２に固定されるファイル用綴じ具２０は、綴じ足２２ａ及び綴じ足２２ｂが突設される挟持部３２と、該挟持部３２に連設され、表紙１２に固定するための固定部３４と、前記固定部３４に対し相対的に挟持部３２を揺動ないし回動自在に連結するヒンジ部３６と、挟持部３２と協働して綴じ足２２ａ，２２ｂの基端部２６ａ及び基端部２６ｂを固定して綴じ足２２ａ及び綴じ足２２ｂを突き出るように固定する綴じ足固定部３８と、前記挟持部３２と綴じ足固定部３８とを折り曲げ自在に連結する薄肉部４２とを備えた、綴じ具本体３０を含む。
【００１８】
挟持部３２は、綴じ足２２ａと綴じ足２２ｂとが突き出る方向とは反対側より綴じ足２２ａ及び綴じ足２２ｂを挿通するための貫通孔４０ａ及び貫通孔４０ｂが形成され、該貫通孔４０ａと貫通孔４０ｂとは、日本工業規格（ＪＩＳ）においてとじ穴間隔として規定された孔の中心から中心までの間隔に対応した間隔をおいて形成されている。そして、挟持部３２は、貫通孔４０ａと貫通孔４０ｂとを適宜な間隔をおいて形成することができる長さ以上の長さを備えた長方形板状であり、その表面は、用箋等の被綴じ物Ｓを安定的に載置できる平面が、綴じ足２２ａ，２２ｂが突き出る面に形成され、表紙１２に固定されたとき表表紙１２ａ又は裏表紙１２ｂと平行な平面を形成されている。
【００１９】
また、挟持部３２は、綴じ足２２ａ及び綴じ足２２ｂが突き出た面とは反対側の面に綴じ足固定部３８を収容する収容部３２ａを備える。
収容部３２ａは、綴じ足固定部３８の凸状の綴じ足固定部３８の形状に対応して、挟持部３２の長手方向に伸びる段差部によって形成され、収容部３２ａのヒンジ部３６側端縁には、綴じ足固定部３８の自由端縁を固定するための凸条３２ｂが突設され、収容部３２ａの上面と凸条３２ｂとの間に綴じ足固定部３８の自由端縁側を嵌合・固定するように形成されている。
【００２０】
綴じ足固定部３８は、綴じ足２２ａと綴じ足２２ｂとの間隔以上の長さを備えた長方形板状であり、挟持部３２の長手方向に連続して伸びる薄肉部４２を介して挟持部３２に連設される。
綴じ足固定部３８は、挟持部３２に固定する側の表面が全体的に略々平面であり、ファイル綴じ具２０が表紙１２に固定されたときに表紙１２の表表紙１２ａ又は裏表紙１２ｂに接する側の表面が全体的に略々平面であり、その両面は平行に形成されている。
【００２１】
そして、綴じ足固定部３８は、綴じ足固定部３８を挟持部３２の収容部３２ａに固定したときに前記挟持部３２の貫通孔４０ａ及び貫通孔４０ｂに対応する位置において、貫通孔４０ａ及び貫通孔４０ｂに嵌挿された綴じ足２２ａ，２２ｂの基端部２６ａ及び基端部２６ｂを収容する平面視円形の凹部４４ａ及び凹部４４ｂが穿設されている。凹部４４ａと凹部４４ｂとの間隔は、日本工業規格（ＪＩＳ）に規定された綴じ穴寸法（孔の中心から中心までの距離）に対応した間隔を備え、綴じ足固定部３８は、前記挟持部３２よりややその長さは短いが、凹部４４ａ，凹部４４ｂを形成することができる長さを備える。
また、凹部４４ａ及び凹部４４ｂの中心には、綴じ足２２ａ及び綴じ足２２ｂの基端部２６ａ及び基端部２６ｂに形成された穴に嵌合されるための円柱状の凸部４６ａ及び凸部４６ｂが突設されている。
綴じ足固定部３８の挟持部３２とは反対側の自由端には、前記挟持部３２の凸条３２ｂに係合する凹条３８ａが綴じ足固定部３８の長手方向に連続して形成されている。
【００２２】
固定部３４は、挟持部３２の長手方向に伸びる２条の薄肉ヒンジ部３６ａ及び薄肉ヒンジ部３６ｂを備えるヒンジ部３６を介して、挟持部３２の長手方向に連続して伸びる適宜な長さを備える長方形板状であり、その表面は、表紙１２に固定されたとき、背表紙１２ｃの表面と平行な平面を形成している。
固定部３４の表紙１２への固定面は、表紙１２に固定されたとき背表紙１２ｃの表面に密着する平面であって、背表紙１２ｃと平行な面を形成している。
そして、該固定面には、超音波溶着用凸条４８が、ヒンジ部３６の近傍とヒンジ部３６とは離れた位置において、固定部３４の自由端に沿って長手方向に連続して形成されている。
また、固定部３４の手前側及び向こう側端縁近傍に、このファイル用綴じ具２０を表紙１２に取り付けるための鋲を貫挿する取付孔５０ａ及び取付孔５０ｂが穿設されている。
【００２３】
ヒンジ部３６は、薄肉ヒンジ部３６ａ及び薄肉ヒンジ部３６ｂのいずれも、綴じ足固定部３８の自由端縁及び固定部３４の自由端縁と平行で、挟持部３２と固定部３４とを連設する薄肉部４２とも平行に形成されている。薄肉ヒンジ部３６ａ及び３６ｂは、ファイル１０が表紙１２に固定されたとき、表紙１２の内面側に対向する面側に開口する断面略Ｕ字状であり、ファイル１０が表紙１２に固定されたとき、表紙１２の内面側に対向する面とは反対側の面、すなわち上面は、平面状で、固定部３４の上面と連続した表面を備える。
ヒンジ部３６の中央には、全体的に柔軟性を付与するための開口部が形成されている。
【００２４】
前記挟持部３２と固定部３４とヒンジ部３６と綴じ足固定部３８と薄肉部４２とは、ポリプロピレンなどの柔軟性を備えた合成樹脂をもって一体成形されている。
【００２５】
ファイル用綴じ具２０は、全体が変形可能な金属製のスプリングからなる２つの綴じ足２２ａおよび２２ｂを含む。一方の綴じ足２２ａは、直線状の中間部２４ａを含む。中間部２４ａは、挟持部３２の貫通孔４０ａ及び貫通孔４０ｂに挿通できるように貫通孔４０ａ及び貫通孔４０ｂの径より小さい一定の径のコイル状に形成され、曲げなどの変形が可能であるとともに曲げなどの変形に対して直線状に復元する復元力を有する。また、綴じ足２２ａの一端部としての基端部２６ａは、中間部２４ａの径より大きい径の円板状に形成され、綴じ足２２ａの他端部としての先端部２８ａは、中間が中間部２４ａの径より大きい径に膨らみ先端が細く突き出た形状に形成される。
他方の綴じ足２２ｂも、一方の綴じ足２２ａと同一構造に形成され、一方の綴じ足２２ａの中間部２４ａ、基端部２６ａおよび先端部２８ａと同一構造の中間部２４ｂ、基端部２６ｂおよび先端部２８ｂを有する。
【００２６】
綴じ具本体３０に、綴じ足２２ａ及び綴じ足２２ｂを取り付けるには、挟持部３２の貫通孔４０ａ及び貫通孔４０ｂに綴じ足２２ａ及び綴じ足２２ｂの先端部２８ａ及び先端部２８ｂを、被綴じ物Ｓを載置する側とは反対側の面、すなわち挟持部３２の収容部３２ａ側より挿入し、綴じ足固定部３８を薄肉部４２において折り曲げ、綴じ足２２ａ及び綴じ足２２ｂの基端部２６ａ及び基端部２６ｂの底面側から凹部４４ａ及び凹部４４ｂをその基端部２６ａ及び基端部２６ｂに嵌合させ、且つ凸部４６ａ及び凸部４６ｂを基端部２６ａ及び基端部２６ｂの穴に嵌合して、綴じ足２２ａ及び綴じ足２２ｂを動かないように固定すると共に、綴じ足固定部３８の係合凸条３８ａを挟持部３２の凸条３２ｂの下面側に嵌合させ、綴じ足固定部３８を挟持部３２に固定する（図７及び８参照）。
【００２７】
このファイル用綴じ具２０は、表紙１２の背表紙１２ｃに固定部３４によって固定するが、ヒンジ部３６が、表紙１２の背表紙１２ｃと表表紙１２ａ又は背表紙１２ｃと裏表紙１２ｂとの境界にほぼ沿って固定されている。
この実施の形態においては、ヒンジ部３６を構成する薄肉ヒンジ部３６ａと他方の薄肉ヒンジ部３６ｂとの間の凸条３６ｃ部位が背表紙１２ｃと裏表紙１２ｂとの境界に形成された折り曲げ部１２ｄに沿って固定されている。
【００２８】
さらに、ファイル用綴じ具２０は、たとえばポリプロピレンなどの合成樹脂からなる短冊状の押え部材７０を含む。押え部材７０には、図５および図６に示すように、その長手方向における中間部に、２つの挿通孔７２ａおよび７２ｂが、押え部材７０の長手方向に間隔を隔てて形成される。これらの挿通孔７２ａおよび７２ｂは、押え部材７０の裏面側が挟持部３２の上面側に対向するように綴じ足２２ａおよび２２ｂを押え部材７０の裏面側から表面側に通すためのものであり、押え部材７０の表面から裏面にわたって形成される。
一方の挿通孔７２ａは、幅が一方の綴じ足２２ａの中間部２４ａの径より広いが先端部２８ａの最大径より狭い狭部分と、その狭部分に通じるとともに幅がその先端部２８ａの最大径より広い広部分とを有し、その広部分は押え部材７０の長手方向においてその狭部分より中央側に形成される。
同様に、他方の挿通孔７２ｂも、幅が他方の綴じ足２２ｂの中間部２４ｂの径より広いが先端部２８ｂの最大径より狭い狭部分と、その狭部分に通じるとともに幅がその先端部２８ｂの最大径より広い広部分とを有し、その広部分は押え部材７０の長手方向においてその狭部分より中央側に形成される。
これらの挿通孔７２ａおよび７２ｂは、それらの狭部分において広部分とは反対側の端部が、貫通孔４０ａおよび貫通孔４０ｂに対応するように形成される。
【００２９】
また、押え部材７０の表面には、図１０に示すように、その長手方向において一方の挿通孔７２ａの外側、すなわち挿通孔７２ａより押え部材７０の長手方向における一端部側に、一方の保持片７４ａが形成される。この保持片７４ａは、断面略Ｌ字状に形成され、押え部材７０の幅方向における一端側に一方の綴じ足２２ａの中間部２４ａを挿入するための開口部７６ａを有する。この保持片７４ａは、押え部材７０の裏面側から一方の挿通孔７２ａに通されかつ押え部材７０の表面側で押え部材７０の長手方向における一端部側に曲げられた一方の綴じ足２２ａの中間部２４ａを、押え部材７０の幅方向における一端側に形成された開口部７６ａから挿入して保持するためのものである。この保持片７４ａの内側部分は、綴じ足２２ａの中間部２４ａの表面に略対応して内側に湾曲した湾曲面状に形成される。
同様に、押え部材７０の表面には、その長手方向において他方の挿通孔７２ｂの外側、すなわち挿通孔７２ｂより押え部材７０の長手方向における他端部側に、他方の保持片７４ｂが形成される。この保持片７４ｂは、断面略Ｌ字状に形成され、押え部材７０の幅方向における他端側に他方の綴じ足２２ｂの中間部２４ｂを挿入するための開口部７６ｂを有する。この保持片７４ｂは、押え部材７０の裏面側から他方の挿通孔７２ｂに通されかつ押え部材７０の表面側で押え部材７０の長手方向における他端部側に曲げられた他方の綴じ足２２ｂの中間部２４ｂを、押え部材７０の幅方向における他端側に形成された開口部７６ｂから挿入して保持するためのものである。この保持片７４ｂの内側部分は、綴じ足２２ｂの中間部２４ｂの表面に略対応して内側に湾曲した湾曲面状に形成される。
【００３０】
一方の保持片７４ａの内側部分には、図９および図１０に示すように、押え部材７０の長手方向における中央側の端部とは反対側の端部に、押え部材７０の幅方向に見て断面略三角形状の突出部７８ａが形成される。この突出部７８ａは、一方の保持片７４ａで保持されている一方の綴じ足２２ａがその綴じ足２２ａの軸方向に移動しても、その綴じ足２２ａの中間部２４ａの径より大きい径に中間が膨らんだ先端部２８ａが引っ掛かってその綴じ足２２ａがその保持片７４ａから抜けにくくするためのものである。
同様に、他方の保持片７４ｂの内側部分にも、押え部材７０の長手方向における中央側の端部とは反対側の端部に、押え部材７０の幅方向に見て断面略三角形状の突出部７８ｂが形成される。この突出部７８ｂは、他方の保持片７４ｂで保持されている他方の綴じ足２２ｂがその綴じ足２２ｂの軸方向に移動しても、その綴じ足２２ｂの中間部２４ｂの径より大きい径に中間が膨らんだ先端部２８ｂが引っ掛かってその綴じ足２２ｂがその保持片７４ｂから抜けにくくするためのものである。
【００３１】
押え部材７０の表面には、一方の挿通孔７２ａと一方の保持片７４ａとの間であって挿通孔７２ａの近傍に、くさび状の一方の突起部８０ａが、それらの挿通孔７２ａおよび保持片７４ａとともに一直線状に並んで形成される。この突起部８０ａは、一方の綴じ足２２ａを一方の保持片７４ａで保持している際に、その綴じ足２２ａの中間部２４ａのコイル間の隙間またはコイルの端縁に係合して、その綴じ足２２ａがその軸方向にずれることを防止するためのものである。この突起部８０ａの外側の端と保持片７４ａの内側の端との間には、上述のように押え部材７０の長手方向における一端部側に曲げられた一方の綴じ足２２ａの中間部２４ａを導くことができる間隔を有する。また、この突起部８０ａは、押え部材７０の幅方向に見て断面略三角形状に形成され、その高さは、保持片７４ａの上部における下面より低く、綴じ足２２ａの中間部２４ａに係合するが綴足２２ａの中間部２４ａを保持片７４ａの上部の下に導くことができる高さを有する。さらに、突起部８０ａは、その先端部が押え部材７０の幅方向における一端側から他端側にのびて形成されている。すなわち、突起部８０ａは、その先端部が保持片７４ａで保持されている綴じ足２２ａの軸方向を直角に横切る方向にのびて形成されている。
同様に、押え部材７０の表面には、他方の挿通孔７２ｂと他方の保持片７４ｂとの間であって挿通孔７２ｂの近傍に、くさび状の他方の突起部８０ｂが、挿通孔７２ｂおよび保持片７４ｂとともに一直線状に並んで形成される。この突起部８０ｂは、他方の綴じ足２２ｂを他方の保持片７４ｂで保持している際に、その綴じ足２２ｂの中間部２４ｂのコイル間の隙間またはコイルの端縁に係合して、その綴じ足２２ｂがその軸方向にずれることを防止するためのものである。この突起部８０ｂの外側の端と保持片７４ｂの内側の端との間にも、他方の綴じ足２２ｂの中間部２４ｂを導くことができる間隔を有する。この突起部８０ｂも、押え部材７０の幅方向に見て断面略三角形状に形成され、その高さは、保持片７４ｂの上部における下面より低く、綴じ足２２ｂの中間部２４ｂに係合するが綴じ足２２ｂの中間部２４ｂを保持片７４ｂの上部の下に導くことができる高さを有する。さらに、突起部８０ｂは、その先端部が押え部材７０の幅方向における一端側から他端側にのびて形成されている。すなわち、突起部８０ｂは、その先端部が保持片７４ｂで保持されている綴じ足２２ｂの軸方向を直角に横切る方向にのびて形成されている。
【００３２】
一方の突起部８０ａの端部には、図１０および図１２に示すように、一方の保持片７４ａの開口部７６ａ側において、たとえば裾広がりの三角形状の斜面を有する傾斜部８２ａが形成される。この傾斜部８２ａは、一方の突起部８０ａが一方の綴じ足２２ａの中間部２４ａに係合するようにその綴じ足２２ａの中間部２４ａをその突起部８０ａ上に案内するためのものである。
同様に、他方の突起部８０ｂの端部には、他方の保持片７４ｂの開口部７６ｂ側において、たとえば裾広がりの三角形状の斜面を有する傾斜部８２ｂが形成される。この傾斜部８２ｂは、他方の突起部８０ｂが他方の綴じ足２２ｂの中間部２４ｂに係合するようにその綴じ足２２ｂの中間部２４ｂをその突起部８０ｂ上に案内するためのものである。
【００３３】
さらに、押え部材７０の表面には、その幅方向における他端側に沿って、かつ、保持片７４ａの両側部から両側にのびて、一方の壁部８６ａが、押え部材７０の表面より立ち上がるように形成される。この壁部８６ａは、保持片７４ａを補強して外力から保護するとともに、保持片７４ａで保持されている綴じ足２２ａが不必要な部分たとえば押え部材７０の幅方向における他端側の外側の部分に変位しにくいように綴じ足２２ａの動きを規制するためのものである。
同様に、他方の壁部８６ｂが、押え部材７０の表面より立ち上がるように、その幅方向における一端側に沿って、かつ、保持片７４ｂの両側部から両側にのびて形成される。この壁部８６ｂは、保持片７４ｂを補強して外力から保護するとともに、保持片７４ｂで保持されている綴じ足２２ｂが不必要な部分たとえば押え部材７０の幅方向における一端側の外側の部分に変位しにくいように綴じ足２２ｂの動きを規制するためのものである。
【００３４】
このファイル１０では、綴じ足２２ａおよび２２ｂを保持片７４ａおよび７４ｂから外し、押え部材７０を綴じ足２２ａおよび２２ｂから外すと、図８に示すように、綴じ足２２ａおよび２２ｂが復元力によって直立した状態になるので、綴じ足２２ａおよび２２ｂを紙などの被綴じ物Ｓに形成された綴じ穴に通しやすい。
【００３５】
この場合、このファイル１０では、一方の保持片７４ａで保持されている一方の綴じ足２２ａの中間部２４ａに、くさび状の一方の突起部８０ａが係合するので、綴じ足２２ａが、綴じ足２２ａの軸方向に滑りにくくてずれにくく、そのため、保持片７４ａから緩みにくくて外れにくい。同様に、他方の保持片７４ｂで保持されている他方の綴じ足２２ｂの中間部２４ｂに、くさび状の他方の突起部８０ｂが係合するので、綴じ足２２ｂが、綴じ足２２ｂの軸方向に滑りにくくてずれにくく、保持片７４ｂから緩みにくくて外れにくい。
【００３６】
したがって、このファイル用綴じ具２０は、固定部３４に対して相対的に挟持部３２を揺動させることができる。固定部３４に対して相対的に挟持部３２を揺動させることは、次に述べるようなことを言う。
綴じられた被綴じ物Ｓとともに、挟持部３２を綴じ具本体３０の表面側にヒンジ部３６を中心にして図８Ｘ方向に１５０°〜１８０°回動させることができる。すなわち、表表紙１２ａ側から裏表紙１２ｂの内表面側又は裏表紙１２ｂ側から表表紙１２ａの内表面側に回動させることができる。
更に、綴じられた被綴じ物Ｓとともに、挟持部３２を綴じ具本体３０の底面側にヒンジ部３６及び折り曲げ部１２ｄを中心にして、図８Ｙ方向に１５０°〜１８０°回動させることができる。すなわち、表表紙１２ａ側から裏表紙１２ｂの外表面側又は裏表紙１２ｂ側から表表紙１２ａの外表面側に回動させることができる。
【００３７】
さらに、このファイル１０では、くさび状の突起部８０ａおよび８０ｂは、先端部が保持片７４ａおよび７４ｂで保持されている綴じ足２２ａおよび２２ｂの中間部２４ａおよび２４ｂの軸方向を直角に横切る方向にのびて形成されているので、突起部８０ａおよび８０ｂの先端部がスプリングからなる綴じ足２２ａおよび２２ｂの中間部２４ａおよび２４ｂに係合しやすい。
【００３８】
また、このファイル１０では、保持片７４ａの開口部７６ａ側において突起部８０ａの端部に傾斜部８２ａが形成されているので、綴じ足２２ａの中間部２４ａを保持片７４ａで保持する際に、綴じ足２２ａの中間部２４ａが傾斜部８２ａによってくさび状の突起部８０ａ上に案内され、そのため、一方の綴じ足２２ａの中間部２４ａにくさび状の一方の突起部８０ａが係合しやすい。同様に、突起部８０ｂの端部に傾斜部８２ｂが形成されているので、他方の綴じ足２２ｂの中間部２４ｂに、くさび状の他方の突起部８０ｂが係合しやすい。
【００３９】
さらに、このファイル１０では、綴じ足２２ａの基端部２６ａの近傍に位置する挿通孔７２ａと綴じ足２２ａを保持する保持片７４ａとの間に突起部８０ａが形成されているので、綴じ足２２ａを保持片７４ａの開口部７６ａから挿入することによって、綴じ足２２ａの中間部２４ａを突起部８０ａ側に移動して、一方の突起部８０ａを一方の綴じ足２２ａの中間部２４ａに係合することができる。同様にして、他方の突起部８０ｂを他方の綴じ足２２ｂの中間部２４ｂに係合することができる。
【００４０】
また、このファイル１０では、保持片７４ａの内側部分に突出部７８ａが形成されているので、保持片７４ａで保持されている綴じ足２２ａがその綴じ足２２ａの軸方向に移動しても、その綴じ足２２ａの先端部２８ａが引っ掛かって、一方の綴じ足２２ａが一方の保持片７４ａから抜けにくい。同様に、他方の綴じ足２２ｂは、他方の保持片７４ｂから抜けにくい。
【００４１】
さらに、このファイル１０では、押え部材７０の挿通孔７２ａおよび７２ｂにおいて貫通孔４０ａおよび４０ｂに対応する部分が、綴じ足２２ａおよび２２ｂの先端部２８ａおよび２８ｂの最大径よりそれぞれ細いので、挿通孔７２ａおよび７２ｂから綴じ足２２ａおよび２２ｂを外そうとしても綴じ足２２ａおよび２２ｂの先端部２８ａおよび２８ｂが押え部材７０に引っ掛かり、綴じ足２２ａおよび２２ｂから押え部材７０が不用意に外れにくい。なお、実際に、挿通孔７２ａおよび７２ｂから綴じ足２２ａおよび２２ｂを外す際には、綴じ足２２ａおよび２２ｂを曲げてそれらの先端部２８ａおよび２８ｂを押え部材７０に形成された挿通孔７２ａおよび７２ｂの広部分に通して外せばよい。
【００４２】
また、このファイル１０では、保持片７４ａおよび７４ｂの開口部７６ａおよび７６ｂが押え部材７０の幅方向における一端側および他端側にそれぞれ存在するので、押え部材７０の幅方向における片側への外力によっては２つの綴じ足２２ａおよび２２ｂが２つの保持片７４ａおよび７４ｂから同時に外れることがない。
【００４３】
さらに、このファイル１０では、保持片７４ａおよび７４ｂの両側に壁部８６ａおよび８６ｂが形成されているので、保持片７４ａおよび７４ｂが補強されるとともに、綴じ足２２ａおよび２２ｂの不要な動きが規制される。
【００４４】
また、上述のファイル１０では、ファイル用綴じ具２０において、くさび状の突起部８０ａおよび８０ｂが上向きに形成されているが、突起部８０ａおよび８０ｂは、綴じ足２２ａおよび２２ｂに係合するなら横向きや下向きなど他の向きに形成されてもよい。
【００４５】
さらに、上述のファイル１０では、ファイル用綴じ具２０において、くさび状の突起部８０ａおよび８０ｂは、それらの先端部が保持片７４ａおよび７４ｂで保持されている綴じ足２２ａおよび２２ｂの中間部２４ａおよび２４ｂの軸方向を直角に横切る方向にのびて形成されているが、一方のくさび状の突起部８０ａの先端部は、一方の保持片７４ａで保持されている綴じ足２２ａの中間部２４ａの軸方向を斜めに横切る方向にのびて形成されてもよく、また、他方のくさび状の突起部８０ｂの先端部は、他方の保持片７４ｂで保持されている綴じ足２２ｂの中間部２４ｂの軸方向を斜めに横切る方向にのびて形成され
てもよい。
【００４６】
また、上述のファイル１０では、ファイル用綴じ具２０の押え部材７０において、保持片７４ａおよび７４ｂの近傍に成型金型用孔８４ａおよび８４ｂが形成されているが、これらの成型金型用孔８４ａおよび８４ｂは形成されなくてもよい。
【００４７】
さらに、上述のファイル１０における各部分の形状や大きさは、単なる一例であって、他の形状や他の大きさに形成されてもよい。例えば、綴じ足の数を３，４，２６といったように多くし、それに対応した綴じ具本体を形成した多穴のファイル用綴じ具としてもよい。
【産業上の利用可能性】
【００４８】
この発明にかかる綴じ具は、たとえば２穴又は多穴の紙などを綴じる、２穴又は多穴のファイル・バインダに適用される。
【図面の簡単な説明】
【００４９】
【図１】この発明の一実施の形態であるファイルを示す斜視図解図である。
【図２】図１に示すファイルの綴じ具の押え部材を外した状態を示す斜視図解図である。
【図３】図１に示すファイルの綴じ具の綴じ具本体から綴じ足を外した状態を示す平面視斜視図解図である。
【図４】図１に示すファイルの綴じ具の綴じ具本体から綴じ足を外した状態を示す底面視斜視図解図である。
【図５】図４のＡ−Ａ断面図解図である。
【図６】図４のＢ−Ｂ断面図解図である。
【図７】綴じ具を組み立てる方法を示す斜視図解図である。
【図８】綴じ具を組み立てる方法を示す断面図解図である。
【図９】被綴じ物を綴じ具に綴じた状態の断面図解図である。
【図１０】図１に示すファイルに用いられる押え部材を示す斜視図である。
【図１１】図１０に示す押え部材の平面図である。
【図１２】図１１の線ＶＩＩ−ＶＩＩにおける断面図である。
【符号の説明】
【００５０】
１０  ファイル
１２  表紙
１２ａ  表表紙
１２ｂ  裏表紙
１２ｃ  背表紙
１２ｄ  折り曲げ部
２０  ファイル用綴じ具
２２ａ、２２ｂ  綴じ足
２４ａ、２４ｂ  中間部
２６ａ、２６ｂ  基端部
２８ａ、２８ｂ  先端部
３０  綴じ具本体
３２  挟持部
３２ａ  収容部
３２ｂ  凸条
３４  固定部
３６  ヒンジ部
３６ａ、３６ｂ  薄肉ヒンジ部
３６ｃ  凸条
３８  綴じ足固定部
３８ａ  係合凹条
４０ａ、４０ｂ  貫通孔
４２  薄肉部
４４ａ、４４ｂ  凹部
４６ａ、４６ｂ  凸部
４８  超音波溶着用凸条
５０ａ、５０ｂ  取付孔
７０  押え部材
７２ａ、７２ｂ  挿通孔
７４ａ、７４ｂ  保持片
７６ａ、７６ｂ  開口部
７８ａ、７８ｂ  突出部
８０ａ、８０ｂ  突起部
８２ａ、８２ｂ  傾斜部
８４ａ、８４ｂ  成型金型用孔
８６ａ、８６ｂ  壁部
Ｓ  被綴じ物
【図１】
2008168462.tif 000003
【図２】
2008168462.tif 000004
【図３】
2008168462.tif 000005
【図４】
2008168462.tif 000006
【図５】
2008168462.tif 000007
【図６】
2008168462.tif 000008
【図７】
2008168462.tif 000009
【図８】
2008168462.tif 000010
【図９】
2008168462.tif 000011
【図１０】
2008168462.tif 000012
【図１１】
2008168462.tif 000013
【図１２】
2008168462.tif 000014